(57)【特許請求の範囲】
【請求項１】
耐力強化の対象となる木造建築物の基礎に固定する平板状の第１の鋼板と、
６０ミリメートルの直径の円形状をした緊張穴を穿設し、前記基礎の上面に下端面を載置した木造建築物の駆体の下端部近傍であって前記第１の鋼板と平行な面となる一側面に固定する平板状の第２の鋼板と、
５４ミリメートルの直径でその中心位置から３．６ミリメートルだけ偏心した所定位置に穿孔を有する円形状をした円形鋼板と、
前記第１の鋼板の上端部近傍と前記第２の鋼板の下端部近傍にそれぞれ下端部あるいは上端部を固定する帯状の形状をした可撓性の繊維シートと、
前記円形鋼板に取り付けられ前記穿孔を中心にこの円形鋼板を回転させる回転てこと、
前記緊張穴の内部の上部空間を残して前記円形鋼板を遊嵌した状態で、前記穿孔を回転中心としてこの円形鋼板を前記木造建築物に回動自在に取り付けるネジ部品
とを具備することを特徴とする木造建築物の耐力強化構造。
【請求項２】
前記第２の鋼板には、前記回転てこを前記円形鋼板に取り付けた緊張具が前記回転てこの回転により前記繊維シートを第１の鋼板と第２の鋼板の間で緊張させた状態に保持するための前記木造建築物の駆体の下端部近傍の側面に対するネジ止めを可能にするビス穴が複数個穿たれていることを特徴とする請求項１記載の木造建築物の耐力強化構造。
【請求項３】
前記ネジ部品は、前記ビス穴を用いて前記第２の鋼板を前記木造建築物の駆体の下端部近傍の側面に固定した後に前記緊張具を取り外す際にこの木造建築物から取り外す部品であることを特徴とする請求項２記載の木造建築物の耐力強化構造。
【請求項４】
前記第１の鋼板および第２の鋼板と前記繊維シートとは接着剤で接着され、第１の鋼板および第２の鋼板のそれぞれに穿たれたビス穴を用いて長ビスによって前記基礎あるいは前記木造駆体と固定することを特徴とする請求項１記載の木造建築物の耐力強化構造。
【請求項５】
前記繊維シートは成型連続繊維シートであることを特徴とする請求項１または請求項２記載の木造建築物の耐力強化構造。
【発明の詳細な説明】
【技術分野】
【０００１】
本発明は木造構造駆体の柱と土台や桁に跨って設ける鋼板で緊結し、津波作用応力で作用面に働く大きな水平せん断応力による柱端部の損傷や柱ホゾ破壊を防ぎ、鉛直に働く引き抜き応力を上下階や基礎に伝達する構造計算可能な木造建築物の耐力強化構造に関する。
【０００２】
木構造での各階と基礎や横架材の構造補強で、長ビスにより木部に緊結する時、鋼板と接着された成型連続繊維シートを、緊張具を用いて緊張させ初期剛性を確保する緊結に関する。
【背景技術】
【０００３】
昨年発生の東北大震災で多くの家屋が地震の倒壊や津波により破壊し流され貴い命を失いました。地震の数倍の破壊力を持つ津波に対する木造建築物は、建築基準法にはありませんでした。
【０００４】
緊急に対処するため昨年１２月に法律が施行（非特許文献１）され津波に対し、構造耐力上安全な建築物の設計法等に係る追加知見が発表され、新しい津波に耐える構造計算基準ができました。
津波に耐える建築物には地震時の２倍から３倍の構造耐力が必要です。
また、耐久性では塩害による腐食を防ぐ基礎アンカーシステムが必要で在ることも解りました。
【０００５】
津波や既存木造の耐震、耐津波の耐力強化のための耐震改修が急務です。
【０００６】
従来検討されていなかった津波応力による木造建築物被害の低減と津波に耐える構造の耐震改修を容易に行う。
【０００７】
従来では、高強度な耐力壁（例えば特許文献１）と基礎を緊結するホールダウン金物の引き抜き許容耐力は２５ＫＮとそれ以下の組み合わせで満足できました。（例えば特許文献２，３，４，５）
しかし、津波基準では最大壁耐力９．８ＫＮから１４．７ＫＮ以上となり、上階との引き抜き耐力は基礎で５０ＫＮ相当が必要です。
【０００８】
建物上部への水平力は鉛直荷重となり基礎の引き抜き応力や圧縮応力として伝わります。引っ張り応力に耐える基礎への定着力が必要です。
基礎内部のコンクリートへ連続繊維シートを直接定着させる（例えば特許文献２参照）。この例は施工精度が達成されず引き抜きに必要な定着耐力の確保は難しい状況です。
【０００９】
塩害対策としては、従来の太さの丸鋼のアンカーボルトはコンクリートとの定着耐力が小さいので、丸鋼を太くしなければなりません。太くすると木材の必要木幅が大きく必要となります。全ての木幅増加で材積は増加し価格は上昇します。
【００１０】
耐震性を高める耐震改修では、既存木造建築物の引き抜き耐力確保のため、アンカーボルトの増設と曲げせん断耐力確保のため鉄筋の新たな補強で既存基礎と増設抱き合わせ基礎の一体化が必要です。（例えば非特許文献２参照）
【００１１】
既存基礎の接合面の目荒らしやアンカー筋そしてアンカーボルト設置で、既存コンクリート基礎はひび割れし、増設強化はあまり望めません。
【００１２】
また、耐震改修では既存木造建築物の水平耐力確保のため各階の床補強が必要です。床を支える梁は、経年変化で大きく撓んだり、割れや繊維破断で曲げ耐力は低下し、梁交換を余儀なくされています。
梁交換は床を一度解体しなければならず大きな労力と費用を要します。
【００１３】
連続繊維シートを木部に接着する場合は下地処理と接着剤塗布後速やかに接着面全体の圧締が必要ですが、脱泡処理だけで圧締は行われていないので、施工後剥がれる事故が多発しています。
本特許の接着メカニズムは木材の細胞内外に接着剤がくさび状に入り込み木繊維と一体になり接着される。圧締は１平方ミリメートル０．７Ｎ程度が必要と、例えば非特許文献３に記述されている。
一方、鉄やコンクリートの無機質とは異なる接着メカニズムなのです。
【００１４】
連続繊維シートの緊張は、例えば特許文献６に示すように鉄筋コンクリートの大がかりなものです。
【００１５】
また、連続繊維シートの緊張は、例えば特許文献第５及び６に示すように接着剤を木材に塗布した緊結であり、先に記載の通り低い引っ張り耐力しかありません。
【００１６】
新しい津波に耐える木造建築物の基準に対応する構造仕様や国土交通大臣の定めた工法は無く建築基準法や日本建築学会の各種構造計算規準での構造計算で性能を確認するしかありません。
【先行技術文献】
【特許文献】
【００１７】
【特許文献１】特開２００５−２０７２０４
【特許文献２】特開２００４−２３８９０１（図１５、図１６）
【特許文献３】特開２００２−３１７４９２
【特許文献４】特開２００９−２２１７８０
【特許文献５】特開平１０−００２０２１
【特許文献６】特開平１１−１８２０６１（図２２）
【非特許文献】
【００１８】
【非特許文献１】法律第１２３号（津波防災地域づくりに関する法律），同法施行規則第３１条第一号及び第二号（国交省告示第１３１８号）
【非特許文献２】（財）日本建築防災協会木造住宅の耐震補強の実務８８〜９１頁
【非特許文献３】日本建築学会木質構造設計規準・同解説２００６年版３１５頁
【発明の概要】
【発明が解決しようとする課題】
【００１９】
そこで本発明の目的は、高強度な木造建築物の耐力を必要とする津波に耐え、繰り返される高震度による耐震性の低下を防ぐ木造建築物の耐力強化構造を提供することにある。
【００２０】
本発明の他の目的は、新築建物・耐震改修を構造計算で現行の最大耐震等級３（建築基準法の１．５倍）以上の木造建築物の性能を確保し、建築基準法の構造計算が可能な施工を可能にする木造建築物の耐力強化構造を提供することにある。
【課題を解決するための手段】
【００２１】
本発明では木造構造駆体の柱と土台や桁に跨って設ける鋼板で緊結し、津波作用応力で作用面に働く大きな水平せん断応力による柱端部の損傷や柱ホゾ破壊を防ぎ、鉛直に働く引き抜き応力を各階や基礎に伝達する。
【００２２】
本発明では性能の不確定な木部の建設現場接着は行わず、施工者を選ぶことなく長ビスによる引き抜き耐力とせん断耐力を終局モードとした耐力の明解な施工を特徴とする。
【００２３】
また、本発明では木造建築物の梁・柱や基礎など構造材に緊結し、鋼板ガセットと接着される成型連続繊維シートそれぞれの接合部に作用する引っ張り応力に耐える接合で木質構造設計規準により適性に効果を計算し正確に評価できることを特徴とする。
【００２４】
更に本発明の実施の形態では基礎内部のコンクリート定着を目的とする鋼板と成型連続繊維シートを接着したアンカープレートを特徴とする。
【００２５】
また、本発明の実施の形態では基礎の耐震改修でアンカープレートを増設基礎に設置することで曲げせん断耐力を確保し既存基礎の耐力を保持することを特徴とする。
【００２６】
更に本発明の実施の形態におけるアンカープレートの設置（図２（Ａ）〜図２（Ｂ））では寸法の変化で必要な引き抜き耐力の構造計算が可能となることを特徴とする。
【００２７】
ところで、木造耐震改修の梁では、経年変化で撓んだ木材は割れやねじれが多く接着力は期待できません。断面不足で大きく下に曲がるのを補正するために成型連続繊維シートを引っ張る必要があります（例えば特許文献５参照）。ボルトネジでの緊結には０．５ＫＮから１．０ＫＮのトルクが掛かります。
そこで本発明の実施の形態では、更に成型連続繊維シートの弛みを取る６０ミリメートル程度の緊張用の穴がある鋼板ガセットを特徴とする。
【００２８】
更にまた本発明の実施の形態では前記した６０ミリメートル程度の穴に設置して偏心軸をラグボルトで固定回転して成型連続繊維シートが接着された鋼板プレートを移動させて成型連続繊維シートを緊張させる緊張具があることを特徴とする。
【００２９】
また本発明の実施の形態では成型連続繊維シートの折り曲げが可能な成型を特徴とする。
【発明の効果】
【００３０】
本発明によれば、高耐力で津波と地震に対して安全な木造建築物を得ることができる。
【００３１】
また、本発明によれば、耐震改修で正確に評価できる安全な木造建築物を得ることができる。
【図面の簡単な説明】
【００３２】
【図１】図１（Ａ）は実施の形態１に係る正面図で鋼板プレートが柱から土台や梁を跨いで緊結される。図１（Ｂ）は実施の形態１に係る垂直断面図で鋼板プレートが柱から土台や梁を跨いで緊結される。
【図２】図２（Ａ）は実施の形態２に係る正面図で実施の形態１の鋼板プレートと基礎内部のアンカープレートが成型連続繊維シートで接着され基礎鉄筋に固定される。図２（Ｂ）は実施の形態２に係る垂直断面図で実施の形態１の鋼板プレートと基礎内部のアンカープレートが成型連続繊維シートで接着され基礎鉄筋に固定される。図２（Ｃ）は実施の形態２に係る垂直断面図で実施の形態１の鋼板プレートと基礎内部のアンカープレートが成型連続繊維シートで接着され基礎鉄筋に固定される。
【図３】図３は実施の形態３に係る正面図で耐力壁の実施の形態１の鋼板プレートを接着剤で成型連続繊維シートに圧締プレートで接着し木構造緊結する。
【図４】図４は実施の形態４に係る斜視図を示したものである。
【図５】図５は実施の形態５に係る斜視図を示したものである。
【図６】図６は実施の形態６に係る新築基礎の斜視図を示したものである。
【図７】図７（Ａ）は実施の形態６に係る円形鋼板に溶接された回転てこのある緊張具の平面図、同図（Ｂ）は、実施の形態６に係る緊張用の穴のある鋼板プレートの拡大平面図である。
【図８】図８（Ａ）は実施の形態６に係る緊張用の穴のある円形鋼板にラグスクリューが固定された状態を示し、図８（Ｂ）は鋼板プレートが緊張位置まで移動した状態を示す平面図である。
【図９】図９は実施の形態６の変形例に係る耐震改修基礎の斜視図を示したものである。
【図１０】図１０は実施の形態７に係る正面図で耐震改修の実施の形態１の鋼板プレートに接着された成型連続繊維シートを緊張穴のある鋼板プレートで繊維シートを緊張し、圧締プレートで接着して木構造緊結する。
【図１１】図１１は実施の形態８に係る耐震改修の梁補強の斜視図を示したものである。
【図１２】図１２は実施の形態９に係る成型連続繊維の屈曲した形態の斜視図を示したものである。
【図１３】図１３は特許文献１の高強度の耐力壁の補強部材と補強構造を示す正面図である。
【図１４】図１４（ａ）は特許文献２の繊維シートを用いた接合補強材及び接合補強構造を示す斜視図である。図１４（ｂ）は特許文献２の図１４（ａ）の側断面図である。
【図１５】図１５は特許文献２の繊維シートが基礎に埋設された状態を示す斜視図である。
【図１６】図１６は特許文献２のロープ状繊維シートが建築部材取り付けられ基礎に埋設された状態を示す斜視図である。
【図１７】図１７（Ａ）は特許文献３の接合補強材部材を示す斜視図である。図１７（Ｂ）は特許文献３の接合補強材部材が建築部材取り付けられた状態を示す斜視図である。
【図１８】図１８（Ａ）は特許文献４の接合補強材部材が建築部材取り付けられた状態を示す正面図である。図１８（Ｂ）は特許文献４の接合補強材部材が建築部材取り付けられた状態を示す垂直断面図である。
【図１９】図１９は特許文献５の接合補強材部材を示す斜視図である。
【図２０】図２０（ａ）、（ｂ）は特許文献６の繊維シート接合補強材部材と補強方法を示す側面図である。図２０（ｃ）は特許文献６の繊維シート接合補強材部材と補強方法を示す平面図である。図２０（ｄ）は特許文献６の繊維シート接合補強材部材を示す斜視図である。
【図２１】図２１（ａ）、（ｂ）は特許文献６の繊維シート接合補強材部材を示す側面図である。
【図２２】図２２（ａ）は特許文献６の繊維シート緊張部材を示す正面図である。図２２（ｂ）は特許文献６の繊維シート緊張部材を示す側面図である。
【発明を実施するための形態】
【００３３】
以下、本発明の実施の形態を図１〜図１２に基づいて説明する。
【００３４】
＜実施の形態１＞
【００３５】
図１（Ａ）および（Ｂ）で示す実施の形態１では、鋼板プレート１０ａを木構造５０の柱５１から土台５２や梁５３に跨いで設け、長ビス１３をこの図では示していないビス穴から木構造５０に緊結して柱ホゾ５４を水平せん断作用応力から守る。
【００３６】
＜実施の形態２＞
【００３７】
図２（Ａ）〜（Ｃ）は実施の形態２に係る正面図等を示したものである。このうち実施の形態２（Ａ）は正面図を示している。実施の形態２では、実施の形態１で説明した鋼板プレート１０ａに、鋼板アンカープレート４０に接着剤（図２（Ｂ））で接着された成型連続繊維シート２０ｂを、基礎鉄筋６２に配筋後、図示しないＬ型ボルトを横筋６１にナツト４３で固定する。
上棟後、実施の形態１で説明した鋼板プレート１０ａに接着剤１５で成型連続繊維シート２０ｂに接着剤３５を塗布して圧締プレート３０から長ビス３３で緊結する。
成型連続繊維シート２０ｂに緊張が必要な場合は緊張用鋼板プレート１０ａに接着剤１５を塗布して成型連続繊維シート２０ｂを架設ビスで圧締し硬化させる。硬化後鋼板プレート１０ａを仮固定して、後に説明する実施の形態６で使用する緊張具で成型連続繊維シート２０ｂを緊張し、圧締プレート３０の養生（後に説明する実施の形態における養生３６参照。）を剥がして接着剤３５を塗布し、木構造５０に緊結する。
【００３８】
図２（Ｂ）は実施の形態２に係る垂直断面図である。なお、接着剤３５を塗布し、木構造５０に緊結後、前記した緊張具を取り外す。
【００３９】
図２（Ｃ）は実施の形態２に係る垂直断面図である。耐震改修の増設基礎で増設鉄筋に実施の形態１の鋼板プレート１０ａと鋼板アンカープレート４０に接着剤３５で接着された成型連続繊維シート２０ｂを基礎鉄筋６２に配筋後Ｌ型ボルト４３で横筋６１に図示しないナツトで固定し基礎コンクリートを打設し基礎６０は完成する。
以降は前記と同様である。
【００４０】
＜実施の形態３＞
【００４１】
図３は実施の形態３に係る正面図である。高強度の耐力壁の実施の形態１の鋼板プレート（図示せず）に接着剤（図示せず）を塗布し、成型連続繊維シート２０ｂの上に、圧締プレート３０の養生（図示せず）を剥がして接着剤３５を塗布し、長ビス（図示せず）で木構造５０に緊結する。
【００４２】
＜実施の形態４＞
【００４３】
図４は、実施の形態４に係る斜視図の詳細を示したものである。
鋼板プレート１０ａには木構造５０に長ビス１３で緊結するビス穴（図示せず）が穿孔されている。
同じく圧締プレートを緊結する長ビス３３のビス穴（図示せず）が穿孔されている。
鋼板プレート１０ａは接着面が工場で脱脂され養生シート１６が張られている。
養生シート１６を剥がし接着剤１５を塗布する。
図示しない成型連続繊維シートか成型連続繊維シート２０ｂを張り、接着剤３５を上に塗布する。圧締プレート３０には工場で脱脂後、養生シート３６が張られている。
養生シート３６を剥がし圧締プレート３０の長ビス用穿孔３２から木構造５０に長ビス３３で圧締緊結する。
【００４４】
＜実施の形態５＞
【００４５】
図５は、実施の形態５に係る斜視図の詳細を示したものである。
鋼板アンカープレート４０は工場で図示しない成型連続繊維シートに接着され成型連続繊維シート２０ｂとなる。
鋼板アンカープレート４０は基礎６０の縦筋６２に寸法通りに結束された横筋６１にＬ型ボルト４２でナット４３で締め固定することで、基礎は完成する。
図４および図５に示した鋼板プレート１０ｃには木構造５０に長ビス１３で緊結するビス穴（図示せず）が穿孔されている。同じく圧締プレートを緊結する長ビス３３のビス穴１２（図４）が穿孔されている。
鋼板プレート１０ｃには接着面が工場で脱脂され養生シート１６が張られている。
養生シート１６を剥がし接着剤１５を塗布する。
成型連続繊維シート２０ｂを張り接着剤３５を上に塗布する。圧締プレート３０には工場で脱脂後、養生シート３６が張られている。
養生シート３６を剥がし圧締プレート３０の長ビス用穿孔３２から木構造５０に長ビス３３で圧締緊結する。
【００４６】
＜実施の形態６＞
【００４７】
図６は、実施の形態６に係る新築基礎の斜視図を示したものである。
以降は実施の形態５での土台５２の代りに木構造５０に圧締プレート３０が使用される点を除いて、図５の実施の形態５の説明通りである。
【００４８】
図７は、実施の形態６における円形鋼板に溶接された回転てこのある緊張具（同図Ａ）と、緊張用の穴のある鋼板プレート（同図Ｂ）を示したものである。また、図８は、緊張用の穴のある鋼板プレートにこの緊張具をラグスクリューで固定した状態（同図Ａ）と緊張位置まで移動した状態（同図Ｂ）を示したものである。実施の形態６をこれら図６〜図８と共に説明する。
【００４９】
鋼板プレート１０ａの緊張用の穴の中心より偏る指定位置に木錐径９ミリメートルを梁下に穿孔７２ａ（図７）し、緊張具７０をラグスクリュー７２ｂで穿孔７２ａに固定する。緊張具の回転てこ７３を図８に示すように左に９０度回転させ成型連続繊維シート２０ｃを緊張させる。鋼板プレート１０ａを長ビス（図２に記載の長ビス１３参照。）で梁下に固定する。緊張具と架設ビスを取り、成型連続繊維シート２０ｃの屈曲部分に接着剤を塗布し小型の圧締プレートを前記した長ビスで梁下に緊結する。
【００５０】
図７（Ｂ）は実施の形態６に係る緊張用の穴のある鋼板プレート１０ａを拡大したものである。
穴の中心より偏った位置に穴径が１３ミリメートルの回転軸穴７２ａを設ける。
又、穴径が１３ミリメートルの仮止め用の穴７４を設ける。
【００５１】
図８（Ａ）で示すように、実施の形態６に係る緊張用の穴のある鋼板プレート１０ａにラグスクリュー７２ｂで固定された円形鋼板７１は、回転てこ７３を左に回転させて図８（Ｂ）に示す状態に遷移し、鋼板プレート１０ａは上に移動して緊張効果を出す。
【００５２】
図７（Ａ）に示すように、実施の形態６に係る緊張具７０（同図Ａ）は、円形鋼板７１に溶接された回転てこ７３を支える軸プレート７２で構成されている。この軸プレート７２は円形鋼板７１の心より偏った軸穴としての穿孔７２ａを有している。
【００５３】
＜実施の形態６の変形例＞
【００５４】
図９は、実施の形態６の変形例に係る耐震改修基礎の斜視図である。
基礎６０の既存部分に新設部分が付加された以外は図６の実施の形態６通りの説明である。
【００５５】
＜実施の形態７＞
【００５６】
図１０は、実施の形態７に係る正面図を示したものである。耐震改修の実施の形態１の鋼板プレート１０ａに接着剤（図示せず）で接着された成型連続繊維シート２０ｂに緊張が必要な場合は緊張用鋼板プレート１０ｂを長ビスで木構造５０に緊結し緊張穴のある鋼板プレート１０ｂを柱に仮固定する。そして、実施の形態６の図７で説明した緊張具７０で成型連続繊維シート２０ｂを緊張し、圧締プレート３０の養生シート（図４および図５に示した養生シート３６参照）を剥がして接着剤３５を塗布し、木構造５０に緊結後、この緊張具７０を取り外す。
【００５７】
＜実施の形態８＞
【００５８】
図１１は実施の形態８に係る耐震改修の梁補強の斜視図を示したものである。工場で製作された緊張用の穴のある鋼板プレート１０ｂに接着された成型連続繊維シート２０ｃを梁下に仮留めし、梁中央に架設柱かサポートで梁が平らになる程度までジャッキアップする。
【００５９】
＜実施の形態９＞
【００６０】
図１２は、実施の形態９に係る成型連続繊維シート２０ｃの屈曲した形態の斜視図を示したものである。緊張用の穴のある鋼板プレート１０ｂと成型連続繊維シート２０ｃが一体となり屈曲している。
【符号の説明】
【００６１】
１０ａ  現場接着の鋼板ガセットプレート
１０ｂ  緊張用穴のある鋼板ガセットプレート
１０ｃ  工場接着の鋼板ガセットプレート
１２  鋼板ガセットのビス用穿孔
１３  鋼板ガセットと構造材の緊結用長ビス
１５  鋼板ガセットと成型連続繊維シートの接着剤
１６  鋼板ガセットと養生シート
２０ａ  成型連続繊維シート（現場接着）
２０ｂ  成型連続繊維シート（工場と現場接着）
２０ｃ  成型連続繊維シート（工場接着）
３０  圧締プレート
３２  圧締プレートのビス用穿孔
３３  圧締プレートと構造材の緊結用長ビス
３５  圧締プレートと成型連続繊維シートの接着剤
３６  圧締プレートの養生シート
４０  アンカープレート
４２  アンカープレートを基礎鉄筋に固定するＬボルト
４３  アンカープレートを基礎鉄筋に固定するナット
４５  アンカープレートと成型連続繊維シートの接着剤
５０  木造構造体（駆体）
５１  柱
５２  土台
５３  梁・桁
５４  柱ホゾ
６０  基礎
６１  横筋
６２  基礎鉄筋
７０  緊張具
７１  円形鋼板
７２  軸プレート
７２ａ  軸穴７２
７２ｂ  ラグスクリュー
７３  回転てこ
７４  仮止め用の穴
【図１】
0005162036.tif 000002
【図２】
0005162036.tif 000003
【図３】
0005162036.tif 000004
【図４】
0005162036.tif 000005
【図５】
0005162036.tif 000006
【図６】
0005162036.tif 000007
【図７】
0005162036.tif 000008
【図８】
0005162036.tif 000009
【図９】
0005162036.tif 000010
【図１０】
0005162036.tif 000011
【図１１】
0005162036.tif 000012
【図１２】
0005162036.tif 000013
【図１３】
0005162036.tif 000014
【図１４】
0005162036.tif 000015
【図１５】
0005162036.tif 000016
【図１６】
0005162036.tif 000017
【図１７】
0005162036.tif 000018
【図１８】
0005162036.tif 000019
【図１９】
0005162036.tif 000020
【図２０】
0005162036.tif 000021
【図２１】
0005162036.tif 000022
【図２２】
0005162036.tif 000023